(57)【要約】【課題】  アライン誤差による輝度段差を改善することが可能なプラズマ表示装置を提供すること。【解決手段】  列方向に隣接する放電セルの電極配列構造が異なり、閉鎖型隔壁構造を有するプラズマ表示パネルが、第１電極と第２電極に対するアライン誤差を有する場合に、サブフィールドの維持期間に第１電極と第２電極に印加される維持放電パルスの上昇傾斜または／及び下降傾斜を異ならせて印加する。維持放電パルスの上昇傾斜または／及び下降傾斜を異ならせて印加することにより、アライン誤差によって、列方向に隣接する放電セル間の輝度段差を減らすことができる。【選択図】図１０
2009169379.tif 000002
【特許請求の範囲】
【請求項１】
第１方向に伸びている複数の第１電極および複数の第２電極、前記第１方向と交差する第２方向に伸びている複数の第３電極、前記複数の第１電極、複数の第２電極および複数の第３電極によって定義される複数の放電セルを含み、前記第２方向に隣接した二つの放電セルが互いに異なる電極配列構造を有するプラズマ表示パネルと、
第１サステインパルスを前記複数の第１電極に印加し、第２サステインパルスを前記複数の第２電極に印加する駆動部と、を含み、
前記第１サステインパルスは、第１電圧と第２電圧を交互に有し、前記第１サステインパルスの電圧が第１傾斜を有して前記第１電圧から前記第２電圧に変更されて、
前記第２サステインパルスは、第３電圧と第４電圧を交互に有し、前記第２サステインパルスの電圧が第２傾斜を有して前記第３電圧から前記第４電圧に変更されて、
前記第１傾斜が前記第２傾斜と異なることを特徴とする、プラズマ表示装置。
【請求項２】
前記第１傾斜が前記第２傾斜より大きいことを特徴とする、請求項１に記載のプラズマ表示装置。
【請求項３】
前記第１傾斜と前記第２傾斜が同一な条件で、前記第１サステインパルスが印加される放電セルの単位面積あたりの輝度が前記第２サステインパルスが印加される放電セルの単位面積あたりの輝度より低いことを特徴とする、請求項２に記載のプラズマ表示装置。
【請求項４】
前記第１サステインパルスの電圧は、第３期間の間に第３傾斜を有して前記第２電圧から前記第１電圧に変更されて、
前記第２サステインパルスの電圧は、第４期間の間に第４傾斜を有して前記第４電圧から前記第３電圧に変更されて、
前記第３傾斜が前記第４傾斜と異なるか前記第３期間が前記第４期間と異なることを特徴とする、請求項１〜３のいずれかに記載のプラズマ表示装置。
【請求項５】
前記第１電圧が前記第２電圧より低く、前記第３電圧が前記第４電圧より低いことを特徴とする、請求項１〜３のいずれかに記載のプラズマ表示装置。
【請求項６】
前記第１電圧が前記第２電圧より高く、前記第３電圧が前記第４電圧より高いことを特徴とする、請求項１〜３のいずれかに記載のプラズマ表示装置。
【請求項７】
前記プラズマ表示パネルは、アライン誤差を有することを特徴とする、請求項１〜３のいずれかに記載のプラズマ表示装置。
【請求項８】
前記隣接した二つの放電セルのうちの一つの放電セルには、上側に第１電極が形成されて下側に第２電極が形成されており、
前記隣接した二つの放電セルのうちの他の一つの放電セルには、上側に第２電極が形成されて下側に第１電極が形成されていることを特徴とする、請求項１〜３のいずれかに記載のプラズマ表示装置。
【請求項９】
前記プラズマ表示パネルは、閉鎖型隔壁構造を有することを特徴とする、請求項８に記載のプラズマ表示装置。
【請求項１０】
前記第１電極は走査電極であり、前記第２電極は維持電極であることを特徴とする、請求項１〜３のいずれかに記載のプラズマ表示装置。
【請求項１１】
第１方向に伸びている複数の第１電極および複数の第２電極、前記第１方向と交差する第２方向に伸びている複数の第３電極、前記複数の第１電極、複数の第２電極および複数の第３電極によって定義される複数の放電セルを含み、前記第２方向に隣接した二つの放電セルが互いに異なる電極配列構造を有するプラズマ表示パネルと、
第１サステインパルスを前記複数の第１電極に印加し、第２サステインパルスを前記複数の第２電極に印加する駆動部と、を含み、
前記第１サステインパルスは、第１電圧と第２電圧を交互に有し、前記第１サステインパルスの電圧が第１期間の間に前記第１電圧から前記第２電圧に変更されて、
前記第２サステインパルスは、第３電圧と第４電圧を交互に有し、前記第２サステインパルスの電圧が第２期間の間に前記第３電圧から前記第４電圧に変更されて、
前記第１期間が前記第２期間と異なることを特徴とする、プラズマ表示装置。
【請求項１２】
前記第１期間が前記第２期間より短いことを特徴とする、請求項１１に記載のプラズマ表示装置。
【請求項１３】
前記第１期間と前記第２期間が同一な条件で、前記第１サステインパルスが印加される放電セルの単位面積あたりの輝度が前記第２サステインパルスが印加される放電セルの単位面積あたりの輝度より低いことを特徴とする、請求項１２に記載のプラズマ表示装置。
【請求項１４】
前記第１サステインパルスの電圧は、第３期間の間に第３傾斜を有して前記第２電圧から前記第１電圧に変更されて、
前記第２サステインパルスの電圧は、第４期間の間に第４傾斜を有して前記第４電圧から前記第３電圧に変更されて、
前記第３傾斜が前記第４傾斜と異なるか前記第３期間が前記第４期間と異なることを特徴とする、請求項１１〜１３のうちのいずれかに記載のプラズマ表示装置。
【請求項１５】
前記第１電圧が前記第２電圧より低く、前記第３電圧が前記第４電圧より低いことを特徴とする、請求項１１〜１３のうちのいずれかに記載のプラズマ表示装置。
【請求項１６】
前記第１電圧が前記第２電圧より高く、前記第３電圧が前記第４電圧より高いことを特徴とする、請求項１１〜１３のうちのいずれかに記載のプラズマ表示装置。
【請求項１７】
前記プラズマ表示パネルは、アライン誤差を有することを特徴とする、請求項１１〜１３のうちのいずれかに記載のプラズマ表示装置。
【請求項１８】
前記隣接した二つの放電セルのうちの一つの放電セルには、上側に第１電極が形成されて下側に第２電極が形成されており、
前記隣接した二つの放電セルのうちの他の一つの放電セルには、上側に第２電極が形成されて下側に第１電極が形成されていることを特徴とする、請求項１１〜１３のうちのいずれかに記載のプラズマ表示装置。
【請求項１９】
前記プラズマ表示パネルは、閉鎖型隔壁構造を有することを特徴とする、請求項１８に記載のプラズマ表示装置。
【請求項２０】
前記第１電極は走査電極であり、前記第２電極は維持電極であることを特徴とする、請求項１１〜１３のうちのいずれかに記載のプラズマ表示装置。
【請求項２１】
第１方向に伸びている複数の第１電極および複数の第２電極、前記第１方向と交差する第２方向に伸びている複数の第３電極、前記複数の第１電極、複数の第２電極および複数の第３電極によって定義される複数の放電セルを含み、アライン誤差を有するプラズマ表示パネルと、
第１サステインパルスを前記複数の第１電極に印加し、第２サステインパルスを前記複数の第２電極に印加する駆動部と、を含み、
前記第１サステインパルスは、第１電圧と第２電圧を交互に有し、前記第１サステインパルスの電圧が第１傾斜を有して前記第１電圧から前記第２電圧に変更されて、
前記第２サステインパルスは、第３電圧と第４電圧を交互に有し、前記第２サステインパルスの電圧が第２傾斜を有して前記第３電圧から前記第４電圧に変更されて、
前記第１傾斜が前記第２傾斜と異なることを特徴とする、プラズマ表示装置。
【請求項２２】
前記第１傾斜が前記第２傾斜より大きいことを特徴とする、請求項２１に記載のプラズマ表示装置。
【請求項２３】
前記第１傾斜と前記第２傾斜が同一な条件で、前記第１サステインパルスが印加される放電セルの単位面積あたりの輝度が、前記第２サステインパルスが印加される放電セルの単位面積あたりの輝度より低いことを特徴とする、請求項２２に記載のプラズマ表示装置。
【請求項２４】
前記第１サステインパルスの電圧は、第３期間の間に第３傾斜を有して前記第２電圧から前記第１電圧に変更されて、
前記第２サステインパルスの電圧は、第４期間の間に第４傾斜を有して前記第４電圧から前記第３電圧に変更されて、
前記第３傾斜が前記第４傾斜と異なるか前記第３期間が前記第４期間と異なることを特徴とする、請求項２１〜２３のうちのいずれかに記載のプラズマ表示装置。
【請求項２５】
前記第１電圧が前記第２電圧より低く、前記第３電圧が前記第４電圧より低いことを特徴とする、請求項２１〜２３のうちのいずれかに記載のプラズマ表示装置。
【請求項２６】
前記第１電圧が前記第２電圧より高く、前記第３電圧が前記第４電圧より高いことを特徴とする、請求項２１〜２３のうちのいずれかに記載のプラズマ表示装置。
【請求項２７】
前記プラズマ表示パネルは、閉鎖型隔壁構造を有することを特徴とする請求項２１〜２３に記載のプラズマ表示装置。
【請求項２８】
前記第１電極は走査電極であり、前記第２電極は維持電極であることを特徴とする請求項２１〜２３のうちのいずれかに記載のプラズマ表示装置。
【請求項２９】
第１方向に伸びている複数の第１電極および複数の第２電極、前記第１方向と交差する第２方向に伸びている複数の第３電極、前記複数の第１電極、複数の第２電極および複数の第３電極によって定義される複数の放電セルを含み、アライン誤差を有するプラズマ表示パネルと、
第１サステインパルスを前記複数の第１電極に印加し、第２サステインパルスを前記複数の第２電極に印加する駆動部と、を含み、
前記第１サステインパルスは、第１電圧と第２電圧を交互に有し、前記第１サステインパルスの電圧が第１期間の間に前記第１電圧から前記第２電圧に変更されて、
前記第２サステインパルスは、第３電圧と第４電圧を交互に有し、前記第２サステインパルスの電圧が第２期間の間に前記第３電圧から前記第４電圧に変更されて、
前記第１期間が前記第２期間と異なることを特徴とする、プラズマ表示装置。
【請求項３０】
前記第１期間が前記第２期間より短いことを特徴とする、請求項２９に記載のプラズマ表示装置。
【請求項３１】
前記第１期間と前記第２期間が同一な条件で、前記第１サステインパルスが印加される放電セルの単位面積あたりの輝度が前記第２サステインパルスが印加される放電セルの単位面積あたりの輝度より低いことを特徴とする、請求項３０に記載のプラズマ表示装置。
【請求項３２】
前記第１サステインパルスの電圧は、第３期間の間に第３傾斜を有して前記第２電圧から前記第１電圧に変更されて、
前記第２サステインパルスの電圧は、第４期間の間に第４傾斜を有して前記第４電圧から前記第３電圧に変更されて、
前記第３傾斜が前記第４傾斜と異なるか前記第３期間が前記第４期間と異なることを特徴とする、請求項２９〜３１のうちのいずれかに記載のプラズマ表示装置。
【請求項３３】
前記第１電圧が前記第２電圧より低く、前記第３電圧が前記第４電圧より低いことを特徴とする、請求項２９〜３１のうちのいずれかに記載のプラズマ表示装置。
【請求項３４】
前記第１電圧が前記第２電圧より高く、前記第３電圧が前記第４電圧より高いことを特徴とする、請求項２９〜３１のうちのいずれかに記載のプラズマ表示装置。
【請求項３５】
前記プラズマ表示パネルは、閉鎖型隔壁構造を有することを特徴とする請求項２９〜３１に記載のプラズマ表示装置。
【請求項３６】
前記第１電極は走査電極であり、前記第２電極は維持電極であることを特徴とする請求項２９〜３１のうちのいずれかに記載のプラズマ表示装置。
【発明の詳細な説明】
【技術分野】
【０００１】
本発明は、プラズマ表示装置に関する。
【背景技術】
【０００２】
プラズマ表示装置は、気体放電によって生成されたプラズマを利用して、文字または映像を表示する平面表示装置であり、他の表示装置に比べて輝度及び発光効率が高くて、視野角が広い長所がある。
【０００３】
プラズマ表示装置は、このような長所により、４０インチ以上の大型表示装置において、従来の陰極線管（ＣＲＴ）を代替できる表示装置として脚光を浴びている。
一般にプラズマ表示装置の表示パネルは、列方向に延びている複数のアドレス電極（以下、「Ａ電極」という）と、複数のＡ電極に直交し行方向に互いに対を成しながら延びている複数の維持電極（以下、「Ｘ電極」という）と、複数の走査電極（以下、「Ｙ電極」という）を含む。
【０００４】
このように、Ｘ電極とＹ電極が列方向に順次に配列された構造を「ＸＹＸＹ配列構造」という。ここで、Ａ電極、Ｘ電極及びＹ電極によって形成される空間は一つの放電セルとなる。
【０００５】
プラズマ表示装置は、プラズマ表示パネルに形成された放電セルの数により解像度が決まるが、最近、解像度を高める、つまり、高精細を実現する方向へのプラズマ表示パネルの開発が進んでいる。
【０００６】
高精細を達成するためには、プラズマ表示パネルに形成される放電セルの寸法を小さくして、放電セルの数を増加させなければならない。
【０００７】
しかし、放電セルの数が増加すると、全体的なキャパシタンス（ｃａｐａｃｉｔａｎｃｅ）が増加して、放電セルの寸法が小さくなるほど放電効率が落ちる問題が生じる。
そこで、従来は高精細によるキャパシタンスの増加を解消するために、ＸＹＸＹ構造を変形した新たなＸＹ配列構造を開発して使っており、放電効率を補償するために放電セルの隔壁構造を閉鎖型隔壁構造にして、蛍光体塗布面積を広げた。
【０００８】
閉鎖型隔壁構造は、隣接する放電セル間を隔壁で区画した構造で、具体的に一つの放電セルを隔壁で囲んで築き上げた構造である。
【発明の開示】
【発明が解決しようとする課題】
【０００９】
しかし、新たなＸＹ配列構造の中、隣接する放電セル間の電極配列構造（つまり、Ｘ電極とＹ電極の配置構造）が異なり、閉鎖型隔壁構造を有するプラズマ表示パネルは、Ｘ電極及びＹ電極に対するアライン（Ａｌｉｇｎ）誤差が生じると、偶数ラインと奇数ライン間に輝度段差が生じる問題があった。輝度段差とは、同じ駆動波形に対して隣接する放電セル間の輝度が異なって生じることをいう。
【００１０】
そこで、本発明は、上記問題に鑑みてなされたものであり、本発明の目的とするところは、アライン誤差による輝度段差を改善することが可能な、新規かつ改良されたプラズマ表示装置を提供することにある。
【課題を解決するための手段】
【００１１】
上記課題を解決するために、本発明のある観点によれば、第１方向に伸びている複数の第１電極および複数の第２電極、第１方向と交差する第２方向に伸びている複数の第３電極、複数の第１電極、複数の第２電極および複数の第３電極によって定義される複数の放電セルを含み、第２方向に隣接した二つの放電セルが互いに異なる電極配列構造を有するプラズマ表示パネルと、第１サステインパルスを複数の第１電極に印加し、第２サステインパルスを複数の第２電極に印加する駆動部と、を含み、第１サステインパルスは、第１電圧と第２電圧を交互に有し、第１サステインパルスの電圧が第１傾斜を有して第１電圧から第２電圧に変更されて、第２サステインパルスは、第３電圧と第４電圧を交互に有し、第２サステインパルスの電圧が第２傾斜を有して第３電圧から第４電圧に変更されて、第１傾斜が第２傾斜と異なることを特徴とする、プラズマ表示装置が提供される。
【００１２】
第１傾斜が第２傾斜より大きくてもよい。また、第１傾斜と第２傾斜が同一な条件で、第１サステインパルスが印加される放電セルの単位面積あたりの輝度が第２サステインパルスが印加される放電セルの単位面積あたりの輝度より低くてもよい。
【００１３】
また、上記課題を解決するために、本発明の別の観点によれば、第１方向に伸びている複数の第１電極および複数の第２電極、第１方向と交差する第２方向に伸びている複数の第３電極、複数の第１電極、複数の第２電極および複数の第３電極によって定義される複数の放電セルを含み、第２方向に隣接した二つの放電セルが互いに異なる電極配列構造を有するプラズマ表示パネルと、第１サステインパルスを複数の第１電極に印加し、第２サステインパルスを複数の第２電極に印加する駆動部と、を含み、第１サステインパルスは、第１電圧と第２電圧を交互に有し、第１サステインパルスの電圧が第１期間の間に第１電圧から第２電圧に変更されて、第２サステインパルスは、第３電圧と第４電圧を交互に有し、第２サステインパルスの電圧が第２期間の間に第３電圧から第４電圧に変更されて、第１期間が第２期間と異なることを特徴とする、プラズマ表示装置が提供される。
【００１４】
第１期間が第２期間より短くてもよい。また、第１期間と第２期間が同一な条件で、第１サステインパルスが印加される放電セルの単位面積あたりの輝度が第２サステインパルスが印加される放電セルの単位面積あたりの輝度より低くてもよい。
【００１５】
第１サステインパルスの電圧は、第３期間の間に第３傾斜を有して第２電圧から第１電圧に変更されて、第２サステインパルスの電圧は、第４期間の間に第４傾斜を有して第４電圧から第３電圧に変更されて、第３傾斜が第４傾斜と異なるか第３期間が第４期間と異なっていてもよい。
【００１６】
第１電圧が第２電圧より低く、第３電圧が第４電圧より低くてもよい。また、第１電圧が第２電圧より高く、第３電圧が第４電圧より高くてもよい。
【００１７】
プラズマ表示パネルは、アライン誤差を有していてもよい。
【００１８】
隣接した二つの放電セルのうちの一つの放電セルには、上側に第１電極が形成されて下側に第２電極が形成されており、隣接した二つの放電セルのうちの他の一つの放電セルには、上側に第２電極が形成されて下側に第１電極が形成されていてもよい。
【００１９】
プラズマ表示パネルは、閉鎖型隔壁構造を有していてもよい。
【００２０】
第１電極は走査電極であり、第２電極は維持電極であってもよい。
【００２１】
また、上記課題を解決するために、本発明の別の観点によれば、第１方向に伸びている複数の第１電極および複数の第２電極、第１方向と交差する第２方向に伸びている複数の第３電極、複数の第１電極、複数の第２電極および複数の第３電極によって定義される複数の放電セルを含み、アライン誤差を有するプラズマ表示パネルと、第１サステインパルスを複数の第１電極に印加し、第２サステインパルスを複数の第２電極に印加する駆動部と、を含み、第１サステインパルスは、第１電圧と第２電圧を交互に有し、第１サステインパルスの電圧が第１傾斜を有して第１電圧から第２電圧に変更されて、第２サステインパルスは、第３電圧と第４電圧を交互に有し、第２サステインパルスの電圧が第２傾斜を有して第３電圧から第４電圧に変更されて、第１傾斜が第２傾斜と異なることを特徴とする、プラズマ表示装置が提供される。
【００２２】
第１傾斜が第２傾斜より大きくてもよい。また、第１傾斜と第２傾斜が同一な条件で、第１サステインパルスが印加される放電セルの単位面積あたりの輝度が、第２サステインパルスが印加される放電セルの単位面積あたりの輝度より低くてもよい。
【００２３】
また、上記課題を解決するために、本発明の別の観点によれば、第１方向に伸びている複数の第１電極および複数の第２電極、第１方向と交差する第２方向に伸びている複数の第３電極、複数の第１電極、複数の第２電極および複数の第３電極によって定義される複数の放電セルを含み、アライン誤差を有するプラズマ表示パネルと、第１サステインパルスを複数の第１電極に印加し、第２サステインパルスを複数の第２電極に印加する駆動部と、を含み、第１サステインパルスは、第１電圧と第２電圧を交互に有し、第１サステインパルスの電圧が第１期間の間に第１電圧から第２電圧に変更されて、第２サステインパルスは、第３電圧と第４電圧を交互に有し、第２サステインパルスの電圧が第２期間の間に第３電圧から第４電圧に変更されて、第１期間が第２期間と異なることを特徴とする、プラズマ表示装置が提供される。
【００２４】
第１期間が第２期間より短くてもよい。また、第１期間と第２期間が同一な条件で、第１サステインパルスが印加される放電セルの単位面積あたりの輝度が第２サステインパルスが印加される放電セルの単位面積あたりの輝度より低くてもよい。
【００２５】
第１サステインパルスの電圧は、第３期間の間に第３傾斜を有して第２電圧から第１電圧に変更されて、第２サステインパルスの電圧は、第４期間の間に第４傾斜を有して第４電圧から第３電圧に変更されて、第３傾斜が第４傾斜と異なるか第３期間が第４期間と異なっていてもよい。
【００２６】
第１電圧が第２電圧より低く、第３電圧が第４電圧より低くてもよい。また、第１電圧が第２電圧より高く、第３電圧が第４電圧より高くてもよい。
【００２７】
プラズマ表示パネルは、閉鎖型隔壁構造を有していてもよい。
【００２８】
第１電極は走査電極であり、第２電極は維持電極であってもよい。
【発明の効果】
【００２９】
以上説明したように本発明によれば、Ｘ電極及びＹ電極のアライン誤差によって奇数ラインと偶数ラインの間に輝度段差が生じるプラズマ表示パネルに対して、Ｘ電極のサステインパルスとＹ電極のサステインパルスの電圧印加期間及び持続期間を異ならせることで、輝度段差を解消できる。
【発明を実施するための最良の形態】
【００３０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３１】
図１は本発明の一実施形態にかかるプラズマ表示装置の概略的な構成を示す説明図である。
【００３２】
図１に示したように、本発明の一実施形態にかかるプラズマ表示装置は、プラズマ表示パネル１００、制御部２００、アドレス駆動部３００、走査電極駆動部４００及び維持電極駆動部５００を含む。
【００３３】
プラズマ表示パネル１００は、列方向に延びている複数のＡ電極、及び行方向に延びている複数のＸ電極及び複数のＹ電極を含む。Ｘ電極は各Ｙ電極に対応して形成され、その一端が互いに共通に連結されていてもよい。また、Ａ電極とＸ電極及びＹ電極の交差区域にある放電空間は、放電セルを形成し、各放電セルは隣接する放電セルと隔壁で区画されている閉鎖型隔壁構造を有し、列方向に隣接する二つの放電セルは互いに異なる電極配列構造を有する。
【００３４】
制御部２００は、１フレームを、各々の加重値を有する複数のサブフィールドに分割して階調を表示する。
【００３５】
複数のサブフィールドに分割して階調を表示するために、制御部２００は、外部から映像信号を受信して、Ａ電極駆動制御信号、Ｘ電極駆動制御信号及びＹ電極駆動制御信号を出力する。この時、制御部２００は、プラズマ表示パネル１００のＸ電極とＹ電極の配列にアライン誤差がなければ、維持期間に印加されるＸ電極駆動波形とＹ電極駆動波形を、設定された正常波形とするＸ電極駆動制御信号及びＹ電極駆動制御信号を出力する。一方、制御部２００は、プラズマ表示パネル１００のＸ電極とＹ電極の配列にアライン誤差があると、維持期間に印加されるＸ電極駆動波形とＹ電極駆動波形を、設定された正常波形を変形させた補償駆動波形（図１０及び図１１参照）とするＸ電極駆動制御信号及びＹ電極駆動制御信号を出力する。
【００３６】
アドレス駆動部３００は、制御部２００からＡ電極駆動制御信号を受信して表示しようとする放電セルを選択するための表示データ信号を各Ａ電極に印加する。
【００３７】
走査電極駆動部４００は、制御部２００から受信されたＹ電極駆動制御信号に従う駆動波形を生成して、これをＹ電極に印加する。この時、走査電極駆動部４００は、制御部２００から補償駆動波形を生成するためのＹ電極駆動制御信号を受信すると、図１０または図１１に示されたＹ電極駆動波形を出力する。
【００３８】
維持電極駆動部５００は、制御部２００から受信されたＸ電極駆動制御信号に従う駆動波形を生成して、これをＸ電極に印加する。この時、維持電極駆動部５００は、制御部２００から補償駆動波形を生成するためのＸ電極駆動制御信号を受信すると、図１０または図１１に示されたＸ電極駆動信号を出力する。
【００３９】
これから、図２〜図６を参照して、本発明の一実施形態にかかるプラズマ表示装置のプラズマ表示パネル１００について説明する。
【００４０】
プラズマ表示パネル１００において、列方向に隣接する二つの放電セルは、互いに異なる電極配列構造を有しており、放電セルの隔壁構造が閉鎖型隔壁構造である。
【００４１】
まず、このようなプラズマ表示パネルの電極配列構造について図２と図３を参照して詳細に説明する。
【００４２】
図２は、本発明の一実施形態にかかるプラズマ表示パネルの構造を示す説明図である。図２を参照すれば、本発明の一実施形態にかかるプラズマ表示パネルは、列方向に伸びている複数のＡ電極（Ａ１、Ａ２、・・・、Ａｍ）、行方向に伸びている複数のＸ電極（Ｘ１、Ｘ２、・・・）と複数のＹ電極（Ｙ１、Ｙ２、・・・）を含む。図２では説明の便宜上、８つのＸ電極（Ｘ１〜Ｘ８）と８つのＹ電極（Ｙ１〜Ｙ８）だけを示した。対をなす２つのＸ電極（Ｘ１、Ｘ２）と、さらに他の対をなす２つのＹ電極（Ｙ１、Ｙ２）が交互に配列されている。図２に示されたＸ電極及びＹ電極の配列構造を「ＸＸＹＹ配列構造」という。
【００４３】
このようなＸＸＹＹ配列構造で、一つの放電セル１８／１９は、Ｙ電極、Ｘ電極、及びＡ電極の交差区域で定義される。
【００４４】
図２では、隣接する放電セルの構造を比較するために、列方向に隣接する２つの放電セル１８、１９だけに図面符号をつけた。隣接する２つの放電セル１８を見ると、上段側の放電セル１８は上側にＹ電極（Ｙ１）が位置し、下側にＸ電極（Ｘ１）が位置する。一方、下段側の放電セル１９は、上側にＸ電極（Ｘ２）が位置し、下側にＹ電極（Ｙ２）が位置する。つまり、隣接する２つの放電セル１８、１９は互いに異なる構造を有する。
【００４５】
図３は、本発明の一実施形態の変形例にかかるプラズマ表示パネルの構造を示す説明図である。図３を参照すれば、本発明の一実施形態の変形例にかかるプラズマ表示パネルは、列方向に伸びている複数のＡ電極（Ａ１、Ａ２、・・・、Ａｍ）、行方向に伸びている複数のＸ電極（Ｘ１、Ｘ２、・・・）と複数のＹ電極（Ｙ１、Ｙ２、・・・）を含む。図２では説明の便宜上、４つのＸ電極（Ｘ１〜Ｘ４）と８つのＹ電極（Ｙ１〜Ｙ８）だけを示した。一つのＸ電極（Ｘ１）と対をなす２つのＹ電極（Ｙ１、Ｙ２）が交互に配列されている。図３に示されたＸ電極及びＹ電極の配列構造を「ＸＹＹ配列構造」という。
【００４６】
このような電極の配列構造で、一つの放電セル１８／１９は、Ｙ電極、Ｘ電極及びＡ電極の交差区域に形成される。
【００４７】
列方向に隣接する２つの放電セル１８、１９を見ると、上段側の放電セル１８は、上側にＹ電極が位置し、下側にＸ電極が位置する。一方、下段側の放電セル１８は、上側にＸ電極が位置し、下側にＹ電極が位置する。つまり、列方向に隣接する２つの放電セルは互いに異なる電極配列構造を有しており、１つのＸ電極を共有している。
【００４８】
次に、閉鎖型隔壁構造の例を図４〜図６を参照して説明する。
【００４９】
図４は、本発明の一実施形態にかかる閉鎖型隔壁構造を示した説明図で、図２に示したＸＸＹＹ配列構造での閉鎖型隔壁構造である。ここで、ＸＸＹＹ配列構造の代わりにＸＹＹ配列構造が用いられる。
【００５０】
図４を参照すると、隔壁１２は、行方向に伸びている第１隔壁部材１２ａと、列方向に伸びている第２隔壁部材１２ｂを含む。この時、第１隔壁部材１２ａは、列方向に隣接する放電セル間を区画するように形成され、第２隔壁部材１２ｂは、行方向に隣接する放電セル間を区画するように形成される。
【００５１】
従って、各々の放電セル（１８Ｒ、１８Ｇ、１８Ｂ）は、第１隔壁部材１２ａ、及び第２隔壁部材１２ｂによって、隣接される全ての放電セルに対して区画される。このように、隔壁で区画された放電セル内部には、色別可視光を発散する蛍光体層が形成されることができる。蛍光体層は、発光する色により、放電セルを赤色放電セル１８Ｒ、緑色放電セル１８Ｇと、青色放電セル１８Ｂに分けられる。このように蛍光体層が形成された放電セル（１８Ｒ、１８Ｇ、１８Ｂ）の内部は、ネオン、キセノンなどの混合された放電ガスが満たされることができる。
【００５２】
一つの隔壁部材１２ａには、対に並んだ２つのＸ電極（Ｘ１、Ｘ２）、またはＹ電極（Ｙ２、Ｙ３）が配列される。このように配列されたＸ電極とＹ電極各々は、バス電極（１０ａ／１１ａ）と透明電極（１０ｂ／１１ｂ）の組み合わせで形成される。この時、Ｘ電極とＹ電極のバス電極１０ａ、１１ａは、行方向に伸びており、Ｘ電極とＹ電極の透明電極１０ｂ、１１ｂは、対向する電極に向かって突出形成される。
【００５３】
次に、図５を参照して、閉鎖型隔壁構造の異なる例を説明する。図５は、本発明の一実施形態の変形例による閉鎖型隔壁構造を示した説明図である。
【００５４】
図５を参照すると、隔壁１２’は、行方向に伸びている第１隔壁部材１２ａ’と列方向に伸びている第２隔壁部材１２ｂ’を含む。この時、第１隔壁部材１２ａ’は、列方向に隣接する放電セルが共有しないように２つが対に形成されている。
【００５５】
従って、２つの第１隔壁部材１２ａ’は、隣接する列方向の放電セルの間を区画し、一つの第２隔壁部材１２ｂ’は、行方向に隣接する放電セルの間を区画する。従って、各々の放電セル１８Ｒ、１８Ｇ、１８Ｂは、第１隔壁部材１２ａ’及び第２隔壁部材１２ｂ’によって隣接される全ての放電セルに対して区画されている。
【００５６】
このように隔壁で区画された放電セル内部には、色別可視光を発散する蛍光体層が形成されることができる。蛍光体層は、発光する色により、放電セルを赤色放電セル１８Ｒ、緑色放電セル１８Ｇ、及び青色放電セル１８Ｂに分けられる。このように蛍光体層が形成された放電セル１８Ｒ、１８Ｇ、１８Ｂの内部には、ネオン、キセノンなどの混合された放電ガスが満たされることができる。
【００５７】
そして、ＸＸＹＹ配列構造により対に並んだ２つのＸ電極（Ｘ１、Ｘ２）及びＹ電極（Ｙ２、Ｙ３）は、対をなす２つの第１隔壁部材１２ａ’に各々アラインされて配列される。このように配列されたＸ電極とＹ電極各々は、バス電極（１０ａ’／１１ａ’）と透明電極（１０ｂ’、１１ｂ’）の組み合わせで形成される。この時、Ｘ電極とＹ電極のバス電極１０ａ’、１１ａ’は、行方向に伸びており、Ｘ電極とＹ電極の透明電極１０ｂ’、１１ｂ’は、対向する電極に向かって突出形成される。
【００５８】
図６を参照して、閉鎖型隔壁構造の異なる例を説明する。図６は本発明の一実施形態の他の変形例による閉鎖型隔壁構造を示した説明図である。
【００５９】
図６を参照すると、本発明の一実施形態の他の変形例による閉鎖型隔壁構造は、図４及び図５とは異なる六角形の放電セルを形成する。六角形の放電セルを区画する隔壁１２’’は、各々の方向に伸びている６つの隔壁部材を含む、つまり、隔壁１２’’は、斜線方向に伸びている２つの第１隔壁部材、逆斜線方向に伸びており、各々第１隔壁部材と連結されている２つの第２隔壁部材、そして列方向に伸びており、各々第１隔壁部材及び第２隔壁部材と連結されている２つの第３隔壁部材を含む。そして隔壁１２’’は、一つの放電セルが隣接される複数の放電セルに対して各々の方向に伸びている６つの隔壁部材によって区画形成される。つまり、各々の放電セル１８Ｒ、１８Ｇ、１８Ｂは、閉ループ状に連結された６個の隔壁部材によって、隣接するすべての放電セルに対して区画される。
【００６０】
このように隔壁１２’’で区画された放電セル内部には、色別可視光を発散する蛍光体層が形成されることができる。蛍光体層は、発光する色により、放電セルを赤色放電セル１８Ｒ、緑色放電セル１８Ｇ、及び青色放電セル１８Ｂに分けられる。このように蛍光体層が形成された放電セル（１８Ｒ、１８Ｇ、１８Ｂ）の内部には、ネオン、キセノンなどの混合された放電ガスが満たされることができる。
【００６１】
そして、Ｘ電極とＹ電極各々は、バス電極（１０ａ’’／１１ａ’’）と透明電極（１０ｂ’’／１１ｂ’’）の組み合わせで形成される。この時、Ｘ電極とＹ電極のバス電極１０ａ’’、１１ａ’’は、第１隔壁部材及び第２隔壁部材に沿って行方向に伸びており、Ｘ電極とＹ電極の透明電極１０ｂ’’、１１ｂ’’は、対向する電極に向かって突出形成される。
【００６２】
このように、閉鎖型隔壁構造の放電セルは、帯状隔壁構造の放電セルとは異なって隔壁によって区画されて、限定空間でプラズマ放電が発生し、蛍光体層の塗面面積が広いという違いがある。
【００６３】
以下、図７を参照して、アライン誤差がないプラズマ表示パネルにおける放電セルにおけるＸ電極及びＹ電極の面積（つまり、放電面積）を説明する。図７は、アライン誤差がないプラズマ表示パネルでＸ電極及びＹ電極の面積を示した説明図である。図７では図５に示した閉鎖型隔壁構造を例として説明する。
【００６４】
図７に示したように、アライン誤差が無いということは、行方向に配列された第１隔壁部材１２ａに一致するように、Ｘ電極のバス電極１０ａ’及びＹ電極のバス電極１１ａ’が形成されたことを意味する。
【００６５】
アライン誤差がない場合、各放電セルは行方向の隔壁部材と列方向の隔壁部材によって、区画された空間（Ａ）全部を放電空間として用いることとなる。そして、この時、放電空間内でＸ電極の透明電極１０ｂ’とＹ電極の透明電極１１ｂ’が占める面積（以下、「第１面積」という）Ａ１０、Ａ１１は、透明電極１０ｂ’、１１ｂ’の面積（以下、「第２面積」という）Ａ１０、Ａ１１と同一である。これは、アライン誤差がない場合に、放電セル毎に透明電極１０ｂ’、１１ｂ’の第１面積は同一であることを意味する。
【００６６】
次に、図８を参照して、アライン誤差が生じたプラズマ表示パネルの放電セルにおけるＸ電極及びＹ電極の面積を説明する。図８は、アライン誤差が生じたプラズマ表示パネルにおけるＸ電極及びＹ電極の面積を示した説明図である。
【００６７】
図８に示したように、アライン誤差が生じたのは、行方向に配列された第１隔壁部材１２ａ’と離れてＸ電極のバス電極１０ａ’及びＹ電極のバス電極１１ａ’が形成されることを意味する。
【００６８】
アライン誤差が生じた場合、各放電セルの放電空間は、列方向の辺の長さがアライン誤差量（つまり、行方向の隔壁部材１２ａ’とＸ電極（またはＹ電極）間の離隔距離）だけ短くなる。それに基づいて、各放電セルは、隔壁によって区画された放電空間（Ａ）より小さくなった空間（Ａ’）を放電空間として用いるようになる。この時、放電空間（Ａ’）内で透明電極１０ｂ’が占める面積（Ａ１０’）は、透明電極１０ｂ’の実際面積、つまり第２面積（Ａ１０）より小さくなるが、放電空間（Ａ’）内で透明電極１１ｂ’が占める面積（Ａ１１’）は透明電極１１ｂ’の実際面積（Ａ１１）と同一である。つまり、Ｘ電極の透明電極１０ｂ’とＹ電極の透明電極１１ｂ’のうち、一つの第１面積は第２面積になるが、他の一つの第１面積は第２面積より小さい。
【００６９】
従って、アライン誤差が生じた場合に、図８及び図９Ａに示したように、第１放電セルでＸ電極の透明電極１０ｂ’は第１面積が第２面積より小さくなって、Ｙ電極の透明電極１１ｂ’は第１面積が第２面積と同一になる。そして、第１放電セルに対して列方向に隣接する第２放電セルでＸ電極の透明電極１０ｂ’は、第１面積が図９Ｂに示したように第２面積と同一で、Ｙ電極の透明電極１１ｂ’は第１面積が第２面積より小さくなる。
【００７０】
一方、維持期間でＸ電極にはハイレベル電圧とローレベル電圧を交互に有するサステインパルスが印加されて、Ｙ電極にはＸ電極に印加されるサステインパルスと位相の異なるサステインパスルが印加される。しかし、実際Ｘ電極とＹ電極に印加されるサステインパスルは、走査電極駆動部４００の駆動回路と維持電極駆動部５００の駆動回路間のインピーダンス（ｉｍｐｅｄａｎｃｅ）の差によって異なるようになる。
【００７１】
維持電極駆動部５００の駆動回路で形成されたサステインパルスは、直ちにＸ電極に印加されるが、走査電極駆動部４００の駆動回路で形成されたサステインパルスは、追加的な回路、例えば印刷回路基板（Ｐｒｉｎｔｅｄ−Ｃｉｒｃｕｉｔ−Ｂｏａｒｄ、以下「ＰＣＢ」という）に形成されたスキャン集積回路などを経てＹ電極に印加される。従って、走査電極駆動部４００の駆動回路は、維持電極駆動部５００の駆動回路に比べて、スキャン集積回路による寄生インピーダンスと、ＰＣＢパターン（ｐａｔｔｅｒｎ）による寄生インピーダンスなどを有する。つまり、走査電極駆動部４００の駆動回路は、維持電極駆動部５００の駆動回路より高いインピーダンスを有する。
【００７２】
このような各駆動回路のインピーダンスは、出力されるサステインパルスに反映され、インピーダンスが反映されたサステインパルスに基づいてＸ電極のサステインパルスによる放電セルの輝度とＹ電極のサステインパルスによる放電セルの輝度が変わることがありうる。例えば、Ｘ電極のサステインパルスは、少ないインピーダンスの影響で歪みが少なくてサステインパルスによる放電セルの輝度が高く、Ｙ電極のサステインパルスは、高いインピーダンスの影響で歪みが多くてサステインパルスによる放電セルの輝度が低くありうる。
【００７３】
一方、放電セルの発光は、透明電極の面積に比例することが一般に知られている。従って、高い輝度を生成するサステインパルスが印加される電極は、透明電極の面積差により高い輝度変化を現し、低い輝度を生成するサステインパルスが印加される電極は、透明電極の面積差により低い輝度変化を現す。
【００７４】
結局、閉鎖型隔壁構造でありながら、異種電極配列構造を有する隣接する各々の放電セルは、第１面積の大きさ及び放電空間が異なってＸ電極及びＹ電極間放電特性が変わる。つまり、偶数ラインと奇数ライン間は互いに異なる放電特性を有して、偶数ラインと奇数ラインとの間の異なる放電特性によって、偶数ラインと奇数ラインとの間には輝度段差が生じることがある。
【００７５】
しかし、Ｘ電極のインピーダンスがＹ電極のインピーダンスより低いとしても、いつもＸ電極に印加されるサステインパルスによる輝度が高いのではない。その理由は、サステインパスルを生成するためのトランジスタのスイッチングタイミングとインピーダンスのマッチングにより、サステインパルスの歪みが変わって、輝度が変わることがあるためである。従って、Ｙ電極側のインピーダンスが高くても、輝度はＹ電極に比べて明るいこともあり、暗いこともありうる。
【００７６】
以下、輝度段差を解消する方法を図９Ａ、図９Ｂ、図１０及び図１１を参照して説明する。
【００７７】
図９Ａ及び図９Ｂは、アライン誤差が生じたプラズマ表示パネルにおいて隣接する２つの放電セルの電極配列構造を示す説明図である。図９Ａは奇数ラインの放電セル構造であり、図９Ｂは偶数ラインの放電セル構造である。以下、図９Ａに示された奇数ラインの放電セルをＡ型放電セルといい、図９Ｂに示された偶数ラインの放電セルをＢ型放電セルという。
【００７８】
Ａ型放電セルは、Ｘ電極の第１面積がＹ電極の第１面積より小さい。そして、Ｂ型放電セルは、Ｘ電極の透明電極の第１面積がＹ電極の透明電極の第１面積より大きい。
【００７９】
以下、図１０及び図１１を参照して、本発明の実施形態にかかる駆動方法について説明する。
【００８０】
本実施形態に関する理解を助けるために、維持期間にＸ電極及びＹ電極に同じ駆動波形が印加されるように制御する正常の場合における、Ａ型放電セルとＢ型放電セルでの具体的な放電特性（つまり、輝度特性）を説明する。この場合に、Ｘ電極に印加されるサステインパルスの上昇傾斜及び下降傾斜は、各々Ｙ電極に印加されるサステインパルスの上昇傾斜及び下降傾斜と同一である。
【００８１】
以下の説明は、Ｘ電極に印加される単位サステインパルスによるＸ電極の単位面積あたりの輝度が、Ｙ電極に印加される単位サステインパルスによるＹ電極の単位面積あたりの輝度より大きい場合に関するものである。
【００８２】
Ａ型放電セルは、Ｘ電極にサステインパルスが印加されると第１輝度で表示され、Ｙ電極にサステインパルスが印加されると第２輝度で表示される。この時、Ｘ電極の単位面積あたりの輝度が高いが、Ｙ電極の第１面積がＸ電極の第１面積より大きいので、第２輝度が第１輝度より高い輝度を有する。
【００８３】
Ｂ型放電セルは、Ｙ電極にサステインパルスが印加されると第３輝度で表示され、Ｘ電極にサステインパルスが印加されると第４輝度で表示される。この時、Ｘ電極の単位面積あたりの輝度が高くて第１面積がより大きいため、第４輝度が第３輝度より高い輝度を有する。
【００８４】
そして、第１輝度〜第４輝度中で、Ｘ電極の第１面積が第２面積のＢ型放電セルでＸ電極にサステインパルスが印加されて表示される第４輝度が最も高く、Ｙ電極の第１面積が第２面積より小さいＢ型放電セルでＹ電極にサステインパルスが印加されて表示される第３輝度が最も低い。従って、第４輝度が最も高く、次に第２輝度が高く、その次に第１輝度が高く、第３輝度が最も低い。
【００８５】
一方、サステインパルスによるＸ電極の単位面積あたりの輝度がＹ電極より高いため、Ａ型放電セルの輝度がＢ型放電セルの輝度より低くなり、これによって、輝度段差が生じる。
【００８６】
以下において、このような輝度段差を解消する本発明の一実施形態にかかる駆動方法の変形例を、図１０を参照して説明する。
【００８７】
図１０は、本発明の一実施形態にかかるプラズマ表示装置の駆動方法の変形例において、維持期間におけるＹ電極及びＸ電極の電位を示す説明図である。図１０は、単位サステインパルスによるＸ電極の単位面積あたりの輝度がＹ電極の単位面積あたりの輝度より大きい場合に関して説明するものである。
【００８８】
プラズマ表示パネルでＹ電極とＸ電極間にアライン誤差が生じると、制御部２００は輝度段差を補償するためのＸ電極駆動制御信号とＹ電極駆動制御信号を出力する。これに、走査電極駆動部４００と維持電極駆動部５００は、維持期間で図１０に示された駆動波形を出力する。
【００８９】
図１０に示したように、維持期間の間にＸ電極とＹ電極には、ローレベル電圧とハイレベル電圧が交互しながら位相が逆のサステインパルスが印加される。Ｘ電極及びＹ電極に印加されるサステインパルスは、基準電圧Ｖｘ０／Ｖｙ０から第１電圧Ｖｘ１／Ｖｙ１まで上昇傾斜（ΔＡ／ΔＢ）を有して漸進的に上昇した後に第１電圧Ｖｘ１／Ｖｙ１より高い第２電圧Ｖｘ２／Ｖｙ２となる上昇期間Ｔｘ１／Ｔｙ１と、第２電圧Ｖｘ２／Ｖｙ２から第３電圧Ｖｘ３／Ｖｙ３まで下降傾斜（ΔＣ／ΔＤ）を有して漸進的に下降した後に第３電圧Ｖｘ３／Ｖｙ３より低い基準電圧Ｖｘ０／Ｖｙ０となる下降期間Ｔｘ２／Ｔｙ２を有する。
【００９０】
Ｘ電極に印加されるサステインパルスの上昇傾斜（ΔＡ）は、Ｙ電極に印加されるサステインパルスの上昇傾斜（ΔＢ）と異なっており、Ｘ電極に印加されるサステインパルスの下降傾斜（ΔＣ）は、Ｙ電極に印加されるサステインパルスの下降傾斜（ΔＤ）と異なっている。
【００９１】
具体的に説明すれば、Ｘ電極に印加されるサステインパルスの上昇傾斜（ΔＡ）は、正常のサステインパルスの上昇傾斜より小さく、Ｘ電極に印加されるサステインパルスの下降傾斜（ΔＣ）は、正常のサステインパルスの下降傾斜より小さい。そして、Ｙ電極に印加されるサステインパルスの上昇傾斜（ΔＢ）は、正常のサステインパルスの上昇傾斜より大きくて、Ｙ電極に印加されるサステインパルスの下降傾斜（ΔＤ）は、正常のサステインパルスの下降傾斜より大きい。ここで、正常のサステインパルスとはアライン誤差が無いプラズマ表示パネルのＸ電極及びＹ電極に印加されるサステインパルスを意味する。
【００９２】
そして、正常のサステインパルスに対する上昇及び下降傾斜の変化は、アライン誤差値に比例して設定できる。例えば、アライン誤差が小さいプラズマ表示パネルの場合には、正常のサステインパルスに備えて、上昇傾斜及び下降傾斜の変化量を減少させ、アライン誤差が大きいプラズマ表示パネルの場合には、正常のサステインパルスに備えて、上昇傾斜及び下降傾斜の変化量を大きくする。
【００９３】
結局、上昇傾斜（ΔＡ）は上昇傾斜（ΔＢ）より小さく、下降傾斜（ΔＣ）は下降傾斜（ΔＤ）より小さい。
【００９４】
以下、このようなＸ電極駆動波形とＹ電極駆動波形が図９に示されたＡ型放電セルとＢ型放電セルに印加される場合に表示される輝度特性を説明する。
【００９５】
１．小さくなった上昇傾斜（ΔＡ）及び下降傾斜（ΔＣ）を有するＸ電極のサステインパルスをＡ型放電セルに印加する場合に、Ａ型放電セルに表示される輝度は、小さくなった上昇傾斜または／及び下降傾斜による発光量低下により、第１輝度より低い第５輝度で表示される。
【００９６】
２．大きくなった上昇傾斜（ΔＢ）及び下降傾斜（ΔＤ）を有するＹ電極のサステインパルスをＡ型放電セルに印加する場合に、Ａ型放電セルに表示される輝度は、大きくなった上昇傾斜または／及び下降傾斜による発光量増加により、第２輝度より高い第６輝度で表示される。
【００９７】
３．小さくなった上昇傾斜（ΔＡ）及び下降傾斜（ΔＣ）を有するＸ電極のサステインパルスをＢ型放電セルに印加する場合に、Ｂ型放電セルに表示される輝度は、小さくなった上昇傾斜または／及び下降傾斜による発光量低下により、第４輝度より低い第７輝度で表示される。
【００９８】
４．大きくなった上昇傾斜（ΔＢ）及び下降傾斜（ΔＤ）を有するＹ電極のサステインパルスをＢ型放電セルに印加する場合に、Ｂ型放電セルに表示される輝度は、大きくなった上昇傾斜または／及び下降傾斜による発光量増加により、第３輝度より高い第８輝度で表示される。
【００９９】
一方、放電セルの電極配列構造またはサステインパルスの印加タイミングなどによって、放電セルは、上昇傾斜によって光量が調節されたり、下降傾斜によって傾斜が調節されたり、または、上昇及び下降傾斜両方によって光量が調節されたりする。従って、上昇傾斜によって、光量が調節される場合は、図１０の駆動波形と異なって、上昇傾斜（ΔＡ、ΔＢ）だけを正常のサステインパルスの上昇傾斜より小さくしたり大きくしたりすることができる。同様に、下降傾斜によって光量が調節される場合は、図１０の駆動波形と異なって、下降傾斜（ΔＣ、ΔＤ）だけを正常のサステインパルスの下降傾斜より小さくしたり大きくしたりすることができる。
【０１００】
ここで、図９を参照した説明を通して、正常の駆動波形の場合に第４輝度が最も高く、次に第２輝度が高く、その次に第１輝度が高く、第３輝度が最も低いことがわかる。
【０１０１】
しかし、図１０に示された駆動波形によって、Ｂ型放電セルの第４輝度は、その値が低くなった第７輝度となり、Ａ型放電セルの第２輝度はその値が高まった第６輝度となった。
【０１０２】
また、図１０に示された駆動波形によって、Ｂ型放電セルの第３輝度は、その値が高まった第８輝度となり、Ａ型放電セルの第１輝度はその値が低くなった第５輝度となった。
【０１０３】
これを放電セル別に見ると、Ａ型放電セルに第５輝度及び第６輝度を合計した輝度で表示される間に、Ｂ型放電セルには第７輝度及び第８輝度を合計した輝度で表示される。この時、Ａ型放電セルではＹ電極の面積がＸ電極の面積より大きいため、第２輝度と第６輝度間の変化量が第１輝度と第５輝度間の変化量より大きい。従って、Ａ型放電セルの輝度は高くなる。一方、Ｂ型放電セルではＸ電極の面積がＹ電極の面積より大きいため、第４輝度と第７輝度間の変化量が第３輝度と第８輝度間の変化量より大きい。従って、Ｂ型放電セルの輝度は低くなる。
【０１０４】
結局、同時刻にＡ型放電セルに表示される輝度とＢ型放電セルに表示される輝度は、ほとんど同一であり、それによって偶数ラインと奇数ラインとの間の輝度段差が解消される。
【０１０５】
一方、前述した実施形態とは異なって、単位サステインパルスによるＹ電極の単位面積あたりの輝度がＸ電極の単位面積あたりの輝度より大きい場合がありえる。この場合に、本発明の一実施形態においては、図１０に示された駆動波形を互いに異なる電極に印加すれば良い。つまり、このような実施形態では、Ｘ電極に印加されるサステインパルスの上昇傾斜と下降傾斜を大きくして、Ｙ電極に印加されるサステインパルスの上昇傾斜と下降傾斜を小さくすればよい。
【０１０６】
以下では、本発明の一実施形態にかかる駆動方法の他の実施例を、図１１を参照して説明する。
【０１０７】
図１１は、本発明の一実施形態にかかるプラズマ表示装置の駆動方法の他の変形例において、維持期間におけるＹ電極及びＸ電極の駆動波形を示す説明図である。図１１は、単位サステインパルスによるＸ電極の単位面積あたりの輝度がＹ電極の単位面積あたりの輝度より大きい場合に関する。
【０１０８】
プラズマ表示パネルでＹ電極とＸ電極との間にアライン誤差が生じると、制御部２００は輝度段差を補償するためのＸ電極駆動制御信号とＹ電極駆動制御信号を出力する。これに走査電極駆動部４００と維持電極駆動部５００は、維持期間で図１１に示されたサステインパルスを出力する。
【０１０９】
図１１に示したように、維持期間の間にＸ電極とＹ電極には、ローレベル電圧とハイレベル電圧が交替しながら位相が逆のサステインパルスが印加される。Ｘ電極及びＹ電極に印加されるサステインパルスは、基準電圧Ｖｘ０’／Ｖｙ０’から第１電圧Ｖｘ１’／Ｖｙ１’まで漸進的に上昇した後に第１電圧Ｖｘ１’／Ｖｙ１’より高い第２電圧Ｖｘ２’／Ｖｙ２’となる上昇期間Ｌｘ１／Ｌｙ１と、第２電圧Ｖｘ２’／Ｖｙ２’から第３電圧Ｖｘ３’／Ｖｙ３’まで漸進的に下降した後に第３電圧Ｖｘ３’／Ｖｙ３’より低い基準電圧Ｖｘ０’／Ｖｙ０’となる下降期間Ｌｘ２／Ｌｙ２とを有する。
【０１１０】
しかし、Ｘ電極に印加されるサステインパルスの上昇期間（Ｌｘ１）は、Ｙ電極に印加されるサステインパルスの上昇期間（Ｌｙ１）と異なっており、Ｘ電極に印加されるサステインパルスの下降期間（Ｌｘ２）は、Ｙ電極に印加されるサステインパルスの下降期間（Ｌｙ２）と異なっている。
【０１１１】
具体的に説明すれば、Ｘ電極に印加されるサステインパルスの上昇期間（Ｌｘ１）は、正常のサステインパルスの上昇期間より長く、Ｘ電極に印加されるサステインパルスの下降期間（Ｌｘ２）は、正常のサステインパルスの下降期間より長い。そして、Ｙ電極に印加されるサステインパルスの上昇期間（Ｌｙ１）は、正常のサステインパルスの上昇期間より短く、Ｙ電極に印加されるサステインパルスの下降期間（Ｌｙ２）は、正常のサステインパルスの下降期間より短い。ここで、正常のサステインパルスとは、アライン誤差がないプラズマ表示パネルのＸ電極及びＹ電極に印加されるサステインパルスを意味する。
【０１１２】
そして、正常のサステインパルスに対する上昇及び下降期間の変化は、アライン誤差値に比例して設定できる。例えば、アライン誤差が小さいプラズマ表示パネルの場合には、正常のサステインパルスに備えて、上昇期間及び下降期間の変化量を減少させ、アライン誤差が大きいプラズマ表示パネルの場合には、正常のサステインパルスに備えて、上昇期間及び下降期間の変化量を大きくしてもよい。
【０１１３】
結局、上昇期間（Ｌｘ１）は上昇期間（Ｌｙ１）より長く、下降期間（Ｌｘ２）は下降期間（Ｌｙ２）より長い。
【０１１４】
以下、このようなＸ電極駆動波形とＹ電極サステインパルスが図９に示されたＡ型放電セルとＢ型放電セルに印加される場合に表示される輝度特性を説明する。
【０１１５】
１．長くなった上昇期間（Ｌｘ１）及び下降期間（Ｌｘ２）を有するＸ電極のサステインパルスをＡ型放電セルに印加する場合に、Ａ型放電セルに表示される輝度は、第２電圧の印加時点が遅れることによって、第１輝度より低い第５輝度で表示される。
【０１１６】
２．短くなった上昇期間（Ｌｙ１）及び下降期間（Ｌｙ２）を有するＹ電極のサステインパルスをＡ型放電セルに印加する場合に、Ａ型放電セルに表示される輝度は、第２電圧の印加時点が早くなることによって、第２輝度より高い第６輝度で表示される。
【０１１７】
３．長くなった上昇期間（Ｌｘ１）及び下降期間（Ｌｘ２）を有するＸ電極のサステインパルスをＢ型放電セルに印加する場合に、Ｂ型放電セルに表示される輝度は、第２電圧の印加時点が遅れることによって、第４輝度より低い第７輝度で表示される。
【０１１８】
４．短くなった上昇期間（Ｌｙ１）及び下降期間（Ｌｙ２）を有するＹ電極のサステインパルスをＢ型放電セルに印加する場合に、Ｂ型放電セルに表示される輝度は、第２電圧の印加時点が早くなることによって、第３輝度より高い第８輝度で表示される。
【０１１９】
ここで、図９を参照した説明を通して、正常のサステインパルスの場合に、第４輝度が最も高く、次に第２輝度が高く、その次に第１輝度が高く、第３輝度が最も低いことがわかる。
【０１２０】
しかし、図１１に示された駆動波形によって、Ｂ型放電セルの第４輝度はその値が低くなった第７輝度となり、Ａ型放電セルの第２輝度はその値が高くなった第６輝度となった。
【０１２１】
また、図１１に示された駆動波形によって、Ｂ型放電セルの第３輝度は、その値が高くなった第８輝度となり、Ａ型放電セルの第１輝度はその値が低くなった第５輝度となった。
【０１２２】
これを放電セル別に見ると、Ａ型放電セルに第５輝度及び第６輝度の合計の輝度で表示される間にＢ型放電セルには第７輝度及び第８輝度の合計の輝度で表示される。
【０１２３】
結局、同時刻にＡ型放電セルに表示される輝度とＢ型放電セルに表示される輝度が同一に表示され、それによって偶数ラインと奇数ラインとの間の輝度段差が解消される。
【０１２４】
一方、前述した実施形態とは異なって、単位サステインパルスによるＹ電極の単位面積あたりの輝度がＸ電極の単位面積あたりの輝度より大きい場合がある。この場合に、本発明の一実施形態の変形例は、図１１に示された駆動波形を互いに異なる電極に印加すれば良い。つまり、図３および図５に示した本発明の一実施形態の変形例では、Ｘ電極に印加されるサステインパルスの上昇期間と下降期間を短くして、Ｙ電極に印加されるサステインパルスの上昇期間と下降期間を長くすればよい。
【０１２５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【０１２６】
【図１】本発明の一実施形態にかかるプラズマ表示装置の概略的な説明図である。
【図２】本発明の一実施形態にかかるプラズマ表示パネルの説明図である。
【図３】本発明の一実施形態の変形例にかかるプラズマ表示パネルの説明図である。
【図４】本発明の一実施形態にかかるによる閉鎖型隔壁構造を示した説明図である。
【図５】本発明の一実施形態の変形例にかかる閉鎖型隔壁構造を示した説明図である。
【図６】本発明の一実施形態の他の変形例による閉鎖型隔壁構造を示した説明図である。
【図７】アライン誤差がないプラズマ表示パネルにおける維持電極及び走査電極の面積を示した説明図である。
【図８】アライン誤差が発生したプラズマ表示パネルにおける維持電極及び走査電極の面積を示した説明図である。
【図９Ａ】アライン誤差が発生したプラズマ表示パネルにおける隣接する２つの放電セルの電極配列構造を示す説明図である。
【図９Ｂ】アライン誤差が発生したプラズマ表示パネルにおける隣接する２つの放電セルの電極配列構造を示す説明図である。
【図１０】本発明の一実施形態によるプラズマ表示装置の駆動方法の変形例において、維持期間での走査電極及び維持電極の駆動波形を示す説明図である。
【図１１】本発明の一実施形態によるプラズマ表示装置の駆動方法の他の変形例において、維持期間での走査電極及び維持電極の駆動波形を示す説明図である。
【符号の説明】
【０１２７】
１０ａ、１１ａ    バス電極
１０ｂ、１１ｂ    透明電極
１２              隔壁
１２ａ、１２ｂ    隔壁部材
１８、１９        放電セル
１００            プラズマ表示パネル
２００            制御部
３００            アドレス駆動部
４００            走査電極駆動部
５００            維持電極駆動部
【図１】
2009169379.tif 000003
【図２】
2009169379.tif 000004
【図３】
2009169379.tif 000005
【図４】
2009169379.tif 000006
【図５】
2009169379.tif 000007
【図６】
2009169379.tif 000008
【図７】
2009169379.tif 000009
【図８】
2009169379.tif 000010
【図９Ａ】
2009169379.tif 000011
【図９Ｂ】
2009169379.tif 000012
【図１０】
2009169379.tif 000013
【図１１】
2009169379.tif 000014